(57)【要約】    【課題】  レンズ部を容易に交換でき且つこれを安定性よく保持することができると共に、全体の意匠性を高めることができる眼鏡を提供することを課題とする。    【解決手段】  フレーム２のブリッジ部６に対しレンズ部３を着脱可能に構成した眼鏡１において、レンズ部３に設けた凸部４１と、ブリッジ部６の端部に設けられ、凸部４１が係脱可能に挿入する凹部３２と、凸部４１を凹部３２にマグネット吸着させる吸着保持手段５１と、を備えたものである。    【選択図】  図３
2005257759.tif 000002
【特許請求の範囲】
【請求項１】
フレームのブリッジ部に対し左右の各レンズ部をそれぞれ着脱可能に装着した眼鏡において、
前記ブリッジ部の両端部および前記各レンズ部のいずれか一方に設けた凸部と、
前記ブリッジ部の両端部および前記各レンズ部のいずれか他方に設けられ、前記凸部が係脱可能に挿入する凹部と、
前記各凸部を前記各凹部にマグネット吸着させる吸着保持手段と、を備えた眼鏡。
【請求項２】
前記各レンズ部は、貫通孔を前記ブリッジ部側に穿設したレンズ本体と、締結手段により当該貫通孔を介して当該レンズ本体に前記凸部または前記凹部を固定する固定部と、で構成されている請求項１に記載の眼鏡。
【請求項３】
前記各凸部は前記各レンズ部にそれぞれ設けられ、前記各凹部は前記ブリッジ部の両端部にそれぞれ設けられている請求項１または２に記載の眼鏡。
【請求項４】
前記各吸着保持手段は、前記各凸部の少なくとも一部を磁性体材料で構成した磁性体部と、前記各凹部の内部の前記磁性体部が臨む位置に取り付けられた磁石と、で構成されている請求項３に記載の眼鏡。
【請求項５】
前記各凹部を前記ブリッジ部の内部に形成した請求項３または４に記載の眼鏡。
【請求項６】
前記ブリッジ部は、前記フレームのブローバー部に連なる本体ブリッジと、当該本体ブリッジに沿って設けられ、前記各凹部を内部に形成したレンズ保持部材と、を備えた請求項５に記載の眼鏡。
【請求項７】
前記レンズ保持部材は、前記本体ブリッジの正面側に設けられている請求項６に記載の眼鏡。
【請求項８】
前記レンズ保持部材は、水平方向の左右に延在している請求項６または７に記載の眼鏡。
【請求項９】
前記各凹部は、筒状からなり、
前記各凹部に形成された第１の係合部と、前記各凸部に形成され前記第１の係合部に係合する第２の係合部とを有し、装着状態において両者を係合させることで前記ブリッジ部に対し前記各レンズ部の回転をそれぞれ阻止する回止め手段を、さらに備えた請求項１ないし８のいずれかに記載の眼鏡。
【発明の詳細な説明】
【技術分野】
【０００１】
本発明は、フレームのブリッジ部に対し左右の各レンズ部が、適宜、交換可能な眼鏡に関するものである。
【背景技術】
【０００２】
従来、この種の眼鏡として、ブリッジ部の左右近傍に矩形状の凸部を設け、凸部から外れた近傍位置にマグネットを設ける一方、このブリッジ部に対応して左右の各レンズ部に、レンズを切り欠いた凹部と、これから外れた近傍位置にマグネットとをそれぞれ設けたものが知られている（例えば、特許文献１参照）。この場合、ブリッジ部に対し各レンズ部は、凸部に凹部を係合させ、且つこれら凸部および凹部とは異なる位置に設けられたマグネット同士を吸着させることで、交換可能に保持されている。
【特許文献１】特開２００３−１８５９７８号公報（第３８図、第３９図）
【発明の開示】
【発明が解決しようとする課題】
【０００３】
このような従来の眼鏡では、一つのレンズ部に対して、凸部および凹部による保持と、この近傍位置でのマグネットによる保持とが離れた位置でなされているため、眼鏡の意匠性を低下させていた。また、２箇所の保持であるため、レンズ部の交換作業も２段階となり煩雑であった。
【０００４】
もっとも、かかる問題に鑑みて、保持手段をマグネット吸着のみとすると、激しい運動等に伴い、レンズ部がブリッジ部から脱落するおそれがある。一方、保持手段を凸部および凹部のみとする場合に、安定性を考慮して例えば弾性的なクリック係合を採用したとすると、応力集中により特にブリッジ部における疲労破壊が促進されるおそれがある。
【０００５】
本発明は、レンズ部を容易に交換でき且つこれを安定性よく保持することができると共に、全体の意匠性を高めることができる眼鏡を提供することをその目的としている。
【課題を解決するための手段】
【０００６】
本発明の眼鏡は、フレームのブリッジ部に対し左右の各レンズ部をそれぞれ着脱可能に装着した眼鏡において、ブリッジ部の両端部および各レンズ部のいずれか一方に設けた凸部と、ブリッジ部の両端部および各レンズ部のいずれか他方に設けられ、凸部が係脱可能に挿入する凹部と、各凸部を各凹部にマグネット吸着させる吸着保持手段と、を備えたものである。
【０００７】
この構成によれば、対応する凸部を凹部に挿入して係合すると、凸部が凹部にマグネット吸着され、左右の各レンズ部はブリッジ部に吸着保持される。これにより、各レンズ部は、凸部と凹部との係合による保持とマグネット吸着による保持とが同時になされるため、その装着作業を簡易に行うことができる。また、レンズ部は一箇所で保持されるため、レンズ部とフレーム（ブリッジ部）との一体感が高まり、デザイン性も向上する。さらにこの状態では、凸部と凹部との係合および吸着作用による二つの保持がなされているため、レンズ部をフレームから脱落させることなく確実に保持することができる。一方で、レンズ部の離脱作業は、マグネット吸着力に抗して、対応する凸部と凹部との係合状態を解除するだけのため、装着作業と同様に簡単に行うことができる。
【０００８】
この場合、各レンズ部は、貫通孔をブリッジ部側に穿設したレンズ本体と、締結手段により当該貫通孔を介して当該レンズ本体に凸部または凹部を固定する固定部と、で構成されていることが、好ましい。
【０００９】
この構成によれば、例えば、レンズ本体に対し、貫通孔を穿設し且つ締結手段により凸部を固定することで、凹部を設けたフレームに対応させることができる。したがって、既製品のレンズ本体に対しても、穿設等の簡単なレンズ加工作業により、本発明に係るフレームに対応するレンズ部を簡単に提供することができる。
【００１０】
これらの場合、各凸部は各レンズ部にそれぞれ設けられ、各凹部はブリッジ部の両端部にそれぞれ設けられていることが、好ましい。
【００１１】
この構成によれば、凹凸の関係が逆の場合に比べ、凹部および凸部の加工上・構造上の点でより好適であり、意匠性をもさらに高めることができる。
【００１２】
この場合、各吸着保持手段は、各凸部の少なくとも一部を磁性体材料で構成した磁性体部と、各凹部の内部の磁性体部が臨む位置に取り付けられた磁石と、で構成されていることが、好ましい。
【００１３】
この構成によれば、レンズ部の装着動作に伴い凸部の磁性体部が凹部に臨むとマグネット吸着され、最終的には装着位置で保持される。また、レンズ部の離脱動作では、マグネットの吸着力に抗して凸部の磁性体部が凹部から離間することで、マグネットの吸着力が解除される。この構成のように、レンズ部側に磁石を用いていないので、厚みなど種別の異なる他のレンズ部が、保管や運搬時にゴミ等が付着することを好適に防止することができる。また、磁石を凹部に設けているため、磁石を外部に露出させないこともでき、同様にゴミ付着防止効果がある。
【００１４】
これらの場合、各凹部をブリッジ部の内部に形成したことが、好ましい。
【００１５】
この構成によれば、各凹部を単一の部材で構成し得るため、部品点数を削減できる。
【００１６】
この場合、ブリッジ部は、フレームのブローバー部に連なる本体ブリッジと、当該本体ブリッジに沿って設けられ、各凹部を内部に形成したレンズ保持部材と、を備えたことが、好ましい。
【００１７】
この構成によれば、レンズ保持部材で本体ブリッジを補強することができ、レンズ保持部材を有効活用することができる。
【００１８】
この場合、レンズ保持部材は、本体ブリッジの正面側に設けられていることが、好ましい。
【００１９】
この構成によれば、レンズ部の交換作業が一層容易となる。すなわち、鼻が当接するパッドの反対側で、レンズ部の交換作業を行え得るため、パッドが邪魔になることがない。
【００２０】
これらの場合、レンズ保持部材は、水平方向の左右に延在していることが、好ましい。
【００２１】
この構成によれば、凹部および凸部の両者は左右方向に延在することになり、凹部に対し凸部を左右方向に水平移動させて係合させることができる。これにより、レンズ部の交換作業性を高めることができると共に、人の移動動作、特に上下運動を伴う歩行動作等に対してレンズ部が脱落しがたくなる。
【００２２】
これらの場合、各凹部は、筒状からなり、各凹部に形成された第１の係合部と、各凸部に形成され第１の係合部に係合する第２の係合部とを有し、装着状態において両者を係合させることでブリッジ部に対し各レンズ部の回転をそれぞれ阻止する回止め手段を、さらに備えたことが、好ましい。
【００２３】
この構成によれば、凸部が凹部に係合した状態では、第１・第２の係合部により、レンズ部は回止め状態でブリッジ部に保持される。これにより、装着したレンズ部の安定性を良好に保つことができる。なお、凹部の筒状の断面形状としては、円形、長円形、多角形などである。また、回止め手段としては、例えば円形の場合にはキーとキー溝などであり、多角形の場合にはこれと同一形状の断面形状から成る凸部を構成すればよい。
【発明の効果】
【００２４】
本発明の眼鏡によれば、ブリッジ部に対し左右の各レンズ部が、凸部および凹部の係合による保持とマグネット吸着による保持とがなされるため、レンズ部を安定性よく保持することができると共に全体の意匠性も高まり、加えて、レンズ部の交換作業をワンタッチで容易に行うことができる。
【発明を実施するための最良の形態】
【００２５】
以下、添付図面を参照して、本発明の好適な実施例に係る眼鏡について説明する。なお、眼鏡の構成は左右対称であるため、以下では、左側の部品を中心に説明し、右側の部品については説明を適宜省略している。
【実施例１】
【００２６】
図１および図２に示すように、眼鏡１は、フレーム２と、フレーム２に対し着脱可能に装着した左右一対のレンズ部３，３と、で左右対称に構成されている。フレーム２は、半円弧状の形状をなす左右のブローバー部５，５と、左右のブローバー部５，５の内側部位同士を互いに連結するブリッジ部６と、各ブローバー部５，５の後方に延びる端部にヒンジを介して開閉可能に取り付けられた左右のテンプル部７，７と、で構成されている。またフレーム２には、ブリッジ部６の背面側から垂下するように鼻当てパッド８が設けられている。
【００２７】
ブリッジ部６は、左右のブローバー部５，５に一体に連なる本体ブリッジ１１と、左右のレンズ部３，３をそれぞれ着脱可能に保持するひと続きのレンズ保持部材１２と、で構成されている。レンズ保持部材１２は、筒状（パイプ状）の部材からなり、本体ブリッジ１１に沿ってこれの正面側に設けられている。すなわち、本体ブリッジ１１を挟んだ前後には、レンズ保持部材１２と鼻当てパッド８とが位置している。レンズ保持部材１２は、本体ブリッジ１１と一体成型され或いは本体ブリッジ１１に溶着されることで設けられ、本体ブリッジ１１を補強する機能をも有している。
【００２８】
左右の各レンズ部３，３は、レンズ本体２１と、レンズ本体２１のブリッジ部６側に設けたレンズ取付部２２と、で構成されている。レンズ本体２１の上端面は、ブローバー部５の形状と相補的な形状をなしている。また、レンズ本体２１の厚みや種別に関らず、レンズ部３をフレーム２に対し装着することができるようになっている。すなわち、実施例１では、フレーム２は、比較的薄い度無しのレンズ本体２１が装着された場合には、レンズ本体２１とブローバー部５との間にある程度の隙間Ｃ（図１参照）が形成されるように設計されており、比較的厚い度有りのレンズ本体２１が装着された場合には、レンズ本体２１とブローバー部５との間の隙間Ｃが狭まるように設計されている。
【００２９】
図３に示すように、レンズ保持部材１２の略円筒状の中空内部は、水平方向の左右に延在しており、その中間部に円柱状の磁石３１が配設されると共に左右の両外端部が開放した凹部３２となっている。すなわち、レンズ保持部材１２の両端内部がそれぞれ凹部３２となり、単一の磁石３１が、各凹部３２の底部を構成するようにしてレンズ保持部材１２に埋め込まれている。そして、レンズ保持部材１２の左半部および磁石３１の左半部により、左側のレンズ取付部２２に対応するレンズ保持部が構成され、レンズ保持部材１２の右半部および磁石３１の右半部により、右側のレンズ取付部２２に対応するレンズ保持部が構成されている。なお、磁石３１は凹部３２に隠蔽されるため、ゴミ等の付着が好適に防止される。
【００３０】
一方、レンズ取付部２２は、凹部３２に係脱可能に挿入する凸部４１と、凸部４１をレンズ本体２１に固定する固定部４２と、で構成されている。固定部４２は、凸部４１の基部側から連なり、レンズ本体２１の中央側へと略Ｌ字状に屈曲して延びるＬ字部４３のほか、Ｌ字部４３の端部をレンズ本体２１に固定するねじ等の締結手段４４を有している。
【００３１】
このような固定部４２の構造を採用することで、既製品のレンズ本体２１に対しても、穿設等の簡単なレンズ加工作業により、フレーム２に対応するレンズ部３を簡単に提供することができる。例えば、レンズ本体２１のブリッジ部６側に貫通孔を穿設し、ボルトおよびナット等からなる締結手段４４により、この貫通孔を介して凸部４１をレンズ本体２１に固定すればよい。
【００３２】
また、Ｌ字部４３の凸部４１側の端面は、凸部４１を凹部３２に係合させた際に、装着位置を規制する受け（ストッパ）として機能する。なお、凸部４１の先端面が磁石３１の端面に当接するようにして、磁石３１の端面をストッパとして機能させてもよい。
【００３３】
凸部４１は、凹部３２に対応して略円柱状に形成され、水平方向に延在している。このため、凸部４１と凹部３２との係脱は、図中で示す矢印方向に、レンズ部３を水平方向に移動させて行うことができる。凸部４１は、磁石３１によって吸着される磁性体材料で構成されている。磁性体材料としては、例えば、鉄、フェライト系ステンレス鋼、マルテンサイト系ステンレス鋼など各種金属、合金等が挙げられる。この場合、凸部４１およびＬ字部４３の全体が、磁性体材料で一体に形成された磁性体部となっている。
【００３４】
そして、磁石３１と磁性体材料からなる凸部４１とにより、凸部４１を凹部３２にマグネット吸着させる吸着保持手段５１が構成されている。吸着保持手段５１は、レンズ部３の装着状態では、凸部４１の先端面を磁石３１の端面に突き当てるように磁力により引き寄せ、レンズ部３がブリッジ部６から脱落しないように、レンズ部３をフレーム２に保持させる。
【００３５】
回止め手段５２は、凹部３２の開口縁部の下側一部を内側に向かって切欠いたキー溝６１（第２の係合部）と、凸部４１の基部側下部に設けられキー溝６１に係脱可能に係合するキー６２（第１の係合部）と、で構成されている。回止め手段５２は、装着状態においてキー溝６１とキー６２との両者を係合させることで、ブリッジ部６に対しレンズ部３の回転を阻止する。これにより、装着状態のレンズ部３がフレーム２に対しがたつくことが好適に防止され、視認性も適切に確保される。なお、この構成とは逆に、凹部３２にキーを、凸部４１にキー溝を構成してもよい。
【００３６】
ここで、眼鏡１におけるレンズ部３の装着動作、装着状態、離脱動作について順を追って説明する。装着する際には、先ず、フレーム２の正面側にレンズ部３を位置させる。そして、レンズ部３のキー６２がブリッジ部６のキー溝６１の位置に合うように、ブリッジ部６に対しレンズ部３を内側に水平移動させ、凸部４１を凹部３２の内壁面に案内させながら、凸部４１を凹部３２に挿入する。すると、装着状態では、Ｌ字部４３の端面がストッパとして機能して、凸部４１は凹部３２の所定位置で係合して保持され且つ吸着作用により保持される。またこのとき、キー６２がキー溝６１に係合し、レンズ部３はブリッジ部６に対し回止め状態となる。したがって、装着状態のレンズ部３は、一箇所で二つの保持がなされ、特に人の上下運動を伴う歩行動作等に対してもレンズ部３が脱落しがたくなる。また、レンズ部３とブリッジ部６との一体感が高まり、デザイン性も向上する。
【００３７】
一方、レンズ部３を離脱する際には、ブリッジ部６に対しレンズ部３を外側に水平移動させる。これにより、マグネット吸着力に抗して凹部３２から凸部４１が引き出され、上記二つの保持が同時に解除され、ブリッジ部６からレンズ部３が離脱する。このように、装着動作および離脱動作は、二つの保持およびその解除が同時になされるため、これらの交換作業を簡易に行うことができる。また、フレーム２の正面側から交換作業を行えるため、鼻当てパッド８が邪魔とならない。なお、本実施例の凹部３２・凸部４１の構成を逆転、すなわちレンズ部３の側に凹部３２を設けることもできるが、凹部３２・凸部４１の加工上・意匠上の点を考慮すれば、本実施例の構成が望ましい。
【００３８】
なおまた、本実施例では、凸部４１の全体を磁性体部として構成したが、凸部４１の先端部のみを磁性体材料で構成してもよい。また、吸着保持手段５１として、凸部４１側も磁性体材料でなく磁石３１を取り付ける構成や、上記とは逆に、凸部４１側に磁石３１を設け且つ凹部３２側を磁性体材料で構成することなども可能である。しかし、本実施例のように、レンズ部３側に磁石３１を用いない構成とすることで、厚みなど種別の異なる他のレンズ部が、保管や運搬時にゴミ等が付着することを好適に防止することができる。なおまた、磁石３１は、単一に限るものではなく、凹部３２の内部の凸部４１の磁性体部が臨む位置に取り付けられていればよく、例えば、凹部３２の内壁に沿って周状に設けられていてもよい。
【００３９】
次に、本発明の他の実施例に係る眼鏡１について図面を参照して説明する。なお、実施例２から実施例６では、実施例１との相違点である回止め手段５２を中心に説明する。また、実施例１における変形例（例えば、吸着保持手段５１など）についても、他の実施例において構造上可能であれば適用することができるが、その説明は省略する。
【実施例２】
【００４０】
図４に示すように、本実施例では、レンズ部３の凸部４１は、四角柱に形成されて水平方向に延在している。また、ブリッジ部６のレンズ保持部材１２（凹部３２）は、穴の形状が凸部４１に対応して四角形に形成されている。このため、磁石３１も四角柱に形成されている。したがって本実施例では、凸部４１および凹部３２が、係合状態で回止め可能に互いに略相補的形状から構成されて、回止め手段５２を兼ねている。これにより、キーなどによる回止め手段５２を別途設けなくて済む。なお、四角形に限らず、五角形などの多角形でも同様であることは、いうまでもない。
【実施例３】
【００４１】
図５に示すように、レンズ部３の凸部４１は、断面長円形に形成されて水平方向に延在している。また、レンズ保持部材１２（凹部３２）は、穴の形状が凸部４１に対応して長円形に形成されている。このため、磁石３１も断面長円形に形成されている。本実施例の場合も、凸部４１および凹部３２の形状が、実施例２と同様に回止め手段５２を兼ねている。なお、長円形の向きは、同図に示す前後方向のほか、上下方向であってもよい。
【実施例４】
【００４２】
図６に示すように、レンズ保持部材１２は円筒状からなり、その中空内部の中間部には、断面半円形の磁石３１が埋め込まれている。すなわち、凹部３２は、内部奥側の半円筒部７１と、これに連なる開口部側の円筒部７２と、を有している。凹部３２に対応して凸部４１は、基部側の円柱部８１と、円柱部８１に連なる先端側の半円柱部８２と、を有している。半円柱部８２は、半円筒部７１に係脱可能に係合する。そして、凹部３２に凸部４１を係合した状態では、半円筒部７１に半円柱部８２が係合し且つ円筒部７２に円柱部８１が係合する。これにより、ブリッジ部６に対しレンズ部３は回止め状態となる。すなわち、回止め手段５２は、半円柱部８２、半円筒部７１および磁石３１により構成されている。これにより、実施例１の場合に比して、ブリッジ部６周りを幾分軽量化することができる。
【実施例５】
【００４３】
図７に示すように、レンズ保持部材１２の中空部の内壁面には、前後一対のキー９１，９１が、水平方向に亘って平行に形成されている。すなわち、凹部３２の内壁面には一対のキー９１，９１が形成され、これに対応して形成した磁石３１がレンズ保持部材１２の中間部に埋め込まれている。また、凸部４１は、凹部３２に形成されたキー９１，９１に対応した形状を備え、前後一対のキー溝９２，９２が平行に形成されている。そして、本実施例の回止め手段５２は、一対のキー９１，９１を一対のキー溝９２，９２に各々係合させることで、レンズ部３の回止めを行うよう構成されている。これにより、実施例１の場合に比して、装着したレンズ部３のがたつきをより一層防止することができる。
【００４４】
なお、図示省略したが、回止め手段５２の他の変形例としては、例えば凸部４１を二股形状に形成し、凸部４１が凹部３２の外壁面を挟持可能に構成してもよい。
【実施例６】
【００４５】
図８に示すように、本実施例は、レンズ部３がリム付きの点で実施例１と相違する。同図（ａ）に示すフルリムタイプでは、レンズ部３は、レンズ本体２１およびレンズ取付部２２のほか、レンズ本体２１の外周端面の全域に亘ってリム９５が設けられている。一方、同図（ｂ）に示すハーフリムタイプでは、リム９６は、レンズ本体２１の外周端面の上半部に亘って設けられている。そして、これらリム９５，９６は、フレーム２のブローバー部５に対し略相補的となるように形成されている。また、レンズ取付部２２は、上記の凸部４１がリム９５，９６に連ねることで構成されており、リム９５，９６が上記の固定部４２として機能する。すなわち、上記の締結手段４４が不要となる。このように、リム付きのレンズ部３であっても、実施例１のリムレス眼鏡と同様に適切に交換作業等を行うことができる。
【図面の簡単な説明】
【００４６】
【図１】本発明の実施例１に係る眼鏡の斜視図である。
【図２】本発明の実施例１に係る眼鏡の斜視図であって、フレームからレンズ部を取り外した状態を示す図である。
【図３】本発明の実施例１に係る眼鏡のブリッジ部およびレンズ部周りを示す斜視図である。
【図４】本発明の実施例２に係る眼鏡のブリッジ部およびレンズ部周りを示す斜視図である。
【図５】本発明の実施例３に係る眼鏡のブリッジ部およびレンズ部周りを示す斜視図である。
【図６】本発明の実施例４に係る眼鏡のブリッジ部およびレンズ部周りを示す斜視図である。
【図７】本発明の実施例５に係る眼鏡のブリッジ部およびレンズ部周りを示す斜視図である。
【図８】本発明の実施例６に係る眼鏡のレンズ部を示す斜視図である。
【符号の説明】
【００４７】
１    眼鏡
２    フレーム
３    レンズ部
６    ブリッジ部
１１  本体ブリッジ
１２  レンズ保持部材
３１  磁石
３２  凹部
４１  凸部
５１  吸着保持手段
５２  回止め手段
【図１】
2005257759.tif 000003
【図２】
2005257759.tif 000004
【図３】
2005257759.tif 000005
【図４】
2005257759.tif 000006
【図５】
2005257759.tif 000007
【図６】
2005257759.tif 000008
【図７】
2005257759.tif 000009
【図８】
2005257759.tif 000010